(57)【要約】      （修正有）【課題】配線支持部から外れた配線を保持可能に構成した遊技機を提供する。【解決手段】配線支持部１００は、設置部材５０から立ち上がった立壁部１０１と、立壁部１０１から演出制御装置１２１側へ延出した延出壁部１０２とを備える。演出制御装置１２１が設置部材５０の第１設置部に取り付けられた状態で、延出壁部１０２および該演出制御装置１２１が、該延出壁部１０２と該演出制御装置１２１との間を配線ＷＨが通過することを阻止可能に近接した位置関係に構成される。また、設置部材５０に取り付けられた演出制御装置１２１により、延出壁部１０２と該演出制御装置１２１との間から配線挿入部Ｓ１に亘る空間が覆われる。【選択図】図７
2017000637.tif 000002
【特許請求の範囲】
【請求項１】
構成部材が取り付けられる設置部材と、前記設置部材における前記構成部材に隣接した位置に設けられ、電気部品に接続された配線を支持する配線支持部とを備えた遊技機において、
前記配線支持部は、
前記構成部材の外縁に隣接した位置において前記設置部材から立ち上がった立壁部と、前記立壁部から前記構成部材側へ延出した延出壁部とを備え、前記立壁部および延出壁部で囲まれた配線支持空間への前記配線の挿入を許容する配線挿入部が、前記延出壁部の延出端側に形成され、
前記構成部材が前記設置部材に取り付けられた状態で、前記延出壁部および該構成部材が、該延出壁部と該構成部材との間を前記配線が通過することを阻止可能に近接した位置関係に構成されると共に、
前記設置部材に取り付けられた前記構成部材により、前記延出壁部と該構成部材との間から前記配線挿入部に亘る空間が覆われるよう構成された
ことを特徴とする遊技機。
【請求項２】
前記延出壁部は、前記構成部材と設置部材との間に、少なくとも該延出壁部の延出端部が延出した形状に形成されている請求項１記載の遊技機。
【請求項３】
前記延出壁部の延出端部に、前記構成部材における前記設置部材と対向する対向面に近接するよう曲がった返り部が形成されている請求項１または２記載の遊技機。
【発明の詳細な説明】
【技術分野】
【０００１】
本発明は、構成部材が取り付けられる設置部材と、前記設置部材における前記構成部材に隣接した位置に設けられ、電気部品に接続された配線を支持する配線支持部とを備えた遊技機に関するものである。
【背景技術】
【０００２】
例えば、遊技機の代表例の一つであるパチンコ機は、固定枠としての外枠に開閉自在に組み付けられた本体枠としての中枠に、前面にパチンコ球が打ち出される遊技領域が画成された遊技盤が着脱自在に配設される。遊技盤の前側には、始動入賞装置や特別入賞装置が遊技領域内に配設されると共に、遊技状態に合わせて発光演出を行う発光演出装置等(以下、電気部品という)が該遊技領域の内外に設けられる。また、遊技盤の後側には、箱状に形成された設置部材が配設され、この設置部材には、各種図柄を変動表示して図柄変動演出を行う液晶式やドラム式等の図柄表示装置や、該図柄表示装置の図柄変動演出に合わせて作動する可動体を備えた可動演出装置や、発光手段を備えた装飾装置等が配設される。また、設置部材の後側には、当該パチンコ機を総合的に制御するメイン制御装置、前述した可動演出装置や装飾装置を制御するサブ制御装置、前述した図柄表示装置を制御する表示制御装置等が取り付けられている。このようなパチンコ機では、遊技領域に打ち出して該遊技領域内を流下する遊技球が始動入賞装置に設けた始動口に入賞することで、図柄表示装置での図柄変動演出を開始させると共に遊技球を賞球として払い出すよう構成されている。そして、図柄変動演出の結果、図柄表示装置に特定の図柄の組合わせ(大当り図柄)が表示されると、遊技者に有利な特別遊技(大当り遊技)を発生して、図柄表示装置における演出に合わせて特別入賞装置の入賞口を開放した後に、予め設定された所定のラウンド遊技を繰返して、遊技者に多数の賞球を払い出す好機を与えるようになっている。
【０００３】
前記設置部材は、前方に開放する箱状に形成され、遊技盤の後面に所定の間隔をおいて対向する設置壁部と、該設置壁部の周縁部から前方に延出する外周壁部とを備え、該外周壁部の前端縁を遊技盤の後側に当接して該遊技盤の後側に配設される。設置部材の設置壁部の前側に、前述した可動演出装置や装飾装置等が配設されると共に、設置壁部の後側には、複数のコネクタ受部を備えた中継基板が、該設置壁部に固定される基板ベース部材を介して配設されている。そして、遊技盤の前面に配設した電気部品から該遊技盤の裏側へ引き出された配線や、可動演出装置および装飾装置から引き出された配線は、設置部材の設置壁部の後面(外面)に沿うように配設されて、該設置壁部の後面に設置された中継基板のコネクタ受部等に接続される。このような遊技機は、特許文献１に開示されている。
【先行技術文献】
【特許文献】
【０００４】
【特許文献１】特開２００１−２９９９９２号公報
【発明の概要】
【発明が解決しようとする課題】
【０００５】
前記設置部材における設置壁部の外面(後面)には、該外面に沿って配設される前記配線を保持する配線保持部が、適宜位置に設けられている。この配線保持部は、車両での搬送中や遊技ホールに設置後の稼働中に発生する振動により、配線がずれ動き難くするものである。ここで、従来の配線保持部は、設置壁部の外面から立設されると共にＬ字形やコ字形に折曲した片持ちのフック状に形成されており、該配線保持部の延出端と設置壁部の外面との隙間を介して挿入した配線を保持するよう構成されている。また、特許文献１に開示の配設保持部は、設置壁部に設置した基板と前後方向で重なるように延出した形状をなし、該配線保持部と基板との間に配線を保持するよう構成されている。しかしながら、従来の配線保持部や、特許文献１の配線保持部では、該配線保持部に保持された配線が、パチンコ機の振動によって該配線保持部から外れ易く、また配線保持部から外れた配線を保持できない問題がある。
【０００６】
すなわち本発明は、従来技術に係る遊技機に内在する前記問題に鑑み、これらを解決するべく提案されたものであって、配線支持部から外れた配線を保持可能に構成した遊技機を提供することを目的とする。
【課題を解決するための手段】
【０００７】
前記課題を解決し、所期の目的を達成するため、本発明の請求項１に係る発明は、
構成部材(125)が取り付けられる設置部材(50)と、前記設置部材(50)における前記構成部材(125)に隣接した位置に設けられ、電気部品に接続された配線(WH)を支持する配線支持部(100)とを備えた遊技機において、
前記配線支持部(100)は、
前記構成部材(125)の外縁(125a)に隣接した位置において前記設置部材(50)から立ち上がった立壁部(101)と、前記立壁部(101)から前記構成部材(125)側へ延出した延出壁部(102)とを備え、前記立壁部(101)および延出壁部(102)で囲まれた配線支持空間(S)への前記配線(WH))の挿入を許容する配線挿入部(S1)が、前記延出壁部(102)の延出端(102a)側に形成され、
前記構成部材(125)が前記設置部材(50)に取り付けられた状態で、前記延出壁部(102)および該構成部材(125)が、該延出壁部(102)と該構成部材(125)との間を前記配線(WH)が通過することを阻止可能に近接した位置関係に構成されると共に、
前記設置部材(50)に取り付けられた前記構成部材(125)により、前記延出壁部(102)と該構成部材(125)との間から前記配線挿入部(S1)に亘る空間が覆われるよう構成されたことを要旨とする。
請求項１に係る発明によれば、配線支持部における延出壁部と構成部材の外縁との間を、配線が通過することが阻止可能となっているので、万一、配線支持空間内に支持した配線が配線挿入部を介して該配線支持空間から外れたとしても、当該外れた配線を構成部材により保持することが可能である。
【０００８】
請求項２に係る発明では、
前記延出壁部(102)は、前記構成部材(125)と設置部材(50)との間に、少なくとも該延出壁部(102)の延出端部(102b)が延出した形状に形成されていることを要旨とする。
請求項２に係る発明によれば、配線支持部における延出壁部の延出端部が、構成部材と設置部材の外面との間に延出しているので、配線支持空間から外れた配線を、構成部材と設置部材との間に保持することができる。
【０００９】
請求項３に係る発明では、
前記延出壁部(102)の延出端部(102b)に、前記構成部材(125)における前記設置部材(50)と対向する対向面(125b)に近接するよう曲がった返り部(105)が形成されていることを要旨とする。
請求項３に係る発明によれば、延出壁部の延出端部に返り部が形成されていることで、配線支持空間内から外れた配線が該延出壁部と構成部材との間へ移動するのを、前記返り部により規制し得る。また、配線支持空間内から外れた配線を、返り部によって該配線支持空間内へ移動するよう案内し得る。
【発明の効果】
【００１０】
本発明に係る遊技機によれば、配線支持部から配線が外れたとしても、該配線を適切に保持することが可能となり、遊技機の振動によって配線がずれ動いたり損傷することを防止し得る。
【図面の簡単な説明】
【００１１】
【図１】本発明の実施例に係るパチンコ機の正面図である。
【図２】実施例の遊技盤の正面図である。
【図３】図２のＸ１−Ｘ１線断面図である。
【図４】演出制御基板の基板ケースおよび表示制御基板の基板ケースが設置された設置部材が後側に取付けられた実施例の遊技盤を、後方左斜め下方から見た斜視図である。
【図５】設置部材に設けられた配線支持片を示す部分斜視図である。
【図６】(ａ)は、設置部材に演出制御基板の基板ケースを設置する前に、配線を配線支持片に支持させる状態を示す説明図であり、(ｂ)は、(ａ)のＸ２−Ｘ２線断面図である。
【図７】(ａ)は、配線を配線支持片に支持させると共に設置部材に演出制御基板の基板ケースを設置した状態を示す部分背面図であり、(ｂ)は、(ａ)のＸ３−Ｘ３線断面図である。
【図８】実施例に係るパチンコ機の制御構成を示すブロック図である。
【発明を実施するための形態】
【００１２】
次に、本発明に係る遊技機につき、好適な実施例を挙げて、添付図面を参照しながら以下詳細に説明する。なお、実施例では、遊技機として、遊技媒体としてパチンコ球を用いて遊技を行うパチンコ機を例に挙げて説明する。また、以下の説明において、「前」、「後」、「左」、「右」とは、特に説明がなければ、図１に示すようにパチンコ機１０を前側(遊技者側)から見た状態で指称する。
【実施例】
【００１３】
(パチンコ機１０について)
実施例に係るパチンコ機１０は、図１に示すように、前後に開口する矩形枠状に形成されて遊技店の図示しない設置枠台に固定される固定枠としての外枠１１の開口前面側に、後述する遊技盤２０(図２参照)を着脱可能に支持する本体枠としての中枠１２が開閉および着脱可能に組み付けられている。また、中枠１２の前面側には、遊技盤２０を透視保護するガラス板等の透視保護体(図示せず)を備えた装飾枠としての前枠１３が開閉可能に組み付けられると共に、該前枠１３の下方にパチンコ球を貯留する下球受け皿１５が開閉可能に組み付けられる。なお、実施例では、前枠１３の下部位置に、パチンコ球を貯留する上球受け皿１４が一体的に組み付けられており、前枠１３の開閉に合わせて上球受け皿１４も一体的に開閉するよう構成される。また、中枠１２の右下方位置には、該中枠１２に配設された打球発射装置(図示せず)を作動する操作ハンドル１６が設けられており、該操作ハンドル１６の操作により打球発射装置が作動することで、上球受け皿１４に貯留されたパチンコ球が遊技盤２０に向けて発射されるようになっている。なお、上球受け皿１４は、前枠１３と別体に形成して中枠１２に対して開閉可能に組み付けるようにしてもよく、また上下の球受け皿の一方を省略して１つの球受け皿のみ設ける構成であってもよい。
【００１４】
（中枠）
前記中枠１２は、図１に示すように、上縁をなす上枠部と、下縁をなして打球発射装置等が設置された下枠部と、左側縁をなす左枠部と、右側縁をなす右枠部とから構成され、全体が外枠１１の開口に整合する矩形枠状に形成される。中枠１２には、遊技盤２０を前側から着脱可能に設置し得る遊技盤保持部が設けられている。そして中枠１２は、外枠１１の左上および左下に設けられたヒンジ１７,１７を介して該外枠１１に枢支され、該外枠１１に対して左側端部を中心として開閉し得るようになっている。なお中枠１２は、上下左右の各枠部が一体成形されたものであってもよい。
【００１５】
(前枠)
前記前枠１３は、図１に示すように、中枠１２の外郭形状に略合致する板状に形成されると共に前後方向に開口する窓口１８が開設された枠本体の前側に、該窓口１８を囲むように複数の装飾部材１９が取付けられている。装飾部材１９内には、ＬＥＤチップを実装し発光基板(図示せず)が配設され、該発光基板のＬＥＤチップが発光制御されることで装飾部材１９の光透過部分が明輝されるようになっている。
【００１６】
(遊技盤２０について)
前記遊技盤２０は、図２および図３に示すように、ベニア等を貼り合わせた木製合板を材質とし、中枠１２に設けられた遊技盤保持部の内縁形状に整合する外形形状に形成された略矩形の平板状の部材である。遊技盤２０の前側には、左下部から右上部にかけて円弧状に延在する外レール２１と、この外レール２１の内側に中央下部から左上部にかけて並べて配置された内レール２２と、外レール２１の右上部から内レール２２の下部までの間に右方へ凹む湾曲形状に構成された盤面飾り部材２３等が配設されており、両レール２１,２２および盤面飾り部材２３で囲まれた内側が遊技領域２４として構成されている。遊技盤２０には、前後に貫通する装着口(図示せず)が遊技領域２４内に複数開設されて、各装着口に対して各種の遊技盤構成部品が前側から取付けられる。また、遊技領域２４の最下部位置には、該遊技領域２４に打ち出されたパチンコ球を排出するアウト口３３が開設されている。更に、遊技盤２０には、遊技領域２４内に多数の遊技釘３１やゲート３２が植設されており、遊技領域２４を流下するパチンコ球が、遊技釘３１に接触することで流下方向を不規則に変化したり誘導されるようになっている。なお、遊技盤２０に開設される装着口の形成数や大きさは、遊技盤２０に対して取付けられる各種部品の個数や配設位置等に応じて適宜決定される。
【００１７】
図２に示すように、前記遊技盤２０に開設された装着口には、後述する枠状装飾体３５と、遊技領域２４を流下するパチンコ球が入賞可能な始動入賞装置２５と、第１特別入賞装置２８、第２特別入賞装置２９および普通入賞装置３０などが取付けられている。枠状装飾体３５は、遊技領域２４の中央において略円形状に開口形成された装着口２０ａに配設され(図３参照)、左側の第１遊技領域２４ａおよび右側の第２遊技領域２４ｂに遊技領域２４を分けている。始動入賞装置２５は、枠状装飾体３５が配設された装着口２０ａの下方に開口形成された装着口２０ｂに配設される(図３参照)。第１特別入賞装置２８は、始動入賞装置２５が配設された装着口２０ｂの左側に開口形成された装着口(図示せず)に配設され、第２特別入賞装置２９は、該装着口２０ｂの右側に開口形成された装着口(図示せず)に配設されている。また、普通入賞装置３０は、第１特別入賞装置２８が配設された装着口に配設されている。
【００１８】
(始動入賞装置２５について)
前記始動入賞装置２５は、図２に示すように、上方に設けられた第１始動入賞口２６と、該第１始動入賞口２６の下方に設けられた第２始動入賞口２７とを備えている。第１始動入賞口２６は、該始動入賞口２６に入賞したパチンコ球(入賞球)を検出すると共に検出信号をメイン制御手段としてのメイン制御基板１２０(図３に２点鎖線で示す)へ送信する第１始動入賞検出センサ(図８参照)４４を備えている。すなわち、第１始動入賞口２６は、遊技領域２４内で常に上方へ開口する常時開放タイプの入賞口であり、該遊技領域２４を流下するパチンコ球が常時一定の確率で入賞可能に構成されている。そして、第１始動入賞検出センサ４４からの検出信号を受信したメイン制御基板１２０は、前述したように、球払出装置が所定数の賞球を払い出させるように球払出制御基板に制御信号を送信すると共に、入賞時情報(各種乱数情報)を取得して、該入賞時情報に基づいて大当り抽選(大当り判定)を行うようになる。
【００１９】
前記第２始動入賞口２７は、図２に示すように、該第２始動入賞口２７に入ったパチンコ球(入賞球)を検出すると共に検出信号をメイン制御基板１２０へ送信する第２始動入賞検出センサ(図８参照)４５を備えている。また、第２始動入賞口２７は、前後方向へ揺動して該第２始動入賞口２７を開閉するフラップ形態の開閉扉２７ａと、開閉扉２７ａを開閉動作させる作動手段としての始動ソレノイド２７ｂ(図８参照)とを備え、該開閉扉２７ａは、該始動ソレノイド２７ｂの作動により第２始動入賞口２７を閉鎖する閉鎖位置および開放する開放位置に変位するよう構成されている。すなわち、実施例の第２始動入賞口２７は、開閉扉２７ａが変位することで、第２始動入賞口２７に対するパチンコ球の入賞確率を可変し得るよう構成されている。そして、第２始動入賞検出センサ４５からの検出信号を受信したメイン制御基板１２０は、前述したように、球払出装置が所定数の賞球を払い出させるように球払出制御基板に制御信号を送信すると共に、入賞時情報(各種乱数情報)を取得して、該入賞時情報に基づいて大当り抽選(大当り判定)を行うようになる。
【００２０】
(第１特別入賞装置２８について)
第１遊技領域２４ａの下流部に配設された第１特別入賞装置２８は、図２に示すように、該第１遊技領域２４ａに横長に開口する特別入賞口２８ａが上側に設けられた本体と、該特別入賞口２８ａを開閉自在に閉成するシャッタ形態の開閉部材２８ｂと、特別入賞口２８ａに入賞したパチンコ球(入賞球)を検出すると共に検出信号をメイン制御基板１２０へ送信する第１特別入賞検出センサ(図８参照)４６とを備えている。開閉部材２８ｂは、特別入賞口２８ａに対して前後方向へスライド移動が可能に配設され、作動手段としての第１特別ソレノイド(図８参照)２８ｃの作動に伴って、特別入賞口２８ａが閉鎖する閉鎖位置と開放する開放位置とにスライド移動する。そして、第１特別入賞検出センサ４６からの検出信号を受信したメイン制御基板１２０は、前述したように、球払出装置が所定数の賞球を払い出させるように球払出制御基板に制御信号を送信する。ここで、第１特別入賞装置２８は、第１始動入賞口２６へパチンコ球が入賞して第１特別入賞検出センサ４６から検出信号がメイン制御基板１２０へ送信されたことを契機として、メイン制御基板１２０が行う大当り抽選の結果として所定の大当り(例えば、確変大当りや非確変大当り等)が付与された場合に、該大当りのラウンド演出に基づいて開閉部材２８ｂを動作させて特別入賞口２８ａを所定の回数で開放するよう制御される。
【００２１】
(第２特別入賞装置２９について)
第２遊技領域２４ｂの下流部に配設された第２特別入賞装置２９は、図２に示すように、基本構成は第１特別入賞装置２９と同じである。すなわち、第２特別入賞装置２９は、第２遊技領域２４ｂに横長に開口する特別入賞口２９ａが上側に設けられた本体と、該特別入賞口２９ａを開閉自在に閉成するシャッタ形態の開閉部材２９ｂと、特別入賞口２９ａに入賞したパチンコ球(入賞球)を検出すると共に検出信号をメイン制御基板１２０へ送信する第２特別入賞検出センサ(図８参照)４７とを備えている。開閉部材２９ｂは、特別入賞口２９ａに対して前後方向へスライド移動が可能に配設され、作動手段としての第２特別ソレノイド(図８参照)２９ｃの作動に伴って、特別入賞口２９ａが閉鎖する閉鎖位置と開放する開放位置とにスライド移動する。そして、第２特別入賞検出センサ４７からの検出信号を受信したメイン制御基板１２０は、前述したように、球払出装置が所定数の賞球を払い出させるように球払出制御基板に制御信号を送信する。ここで、第２特別入賞装置２９は、第２始動入賞口２７へパチンコ球が入賞して第２特別入賞検出センサ４７から検出信号がメイン制御基板１２０へ送信されたことを契機として、メイン制御基板１２０が行う大当り抽選の結果として所定の大当り(例えば、確変大当りや非確変大当り等)が付与された場合に、該大当りのラウンド演出に基づいて開閉部材２９ｂを動作させて特別入賞口２９ａを所定の回数で開放するよう制御される。
【００２２】
前述のように構成された遊技盤２０では、打球発射装置から発射されたパチンコ球が外レール２１と内レール２２との間を通って遊技領域２４の左側上部に打ち出された際に、該打球発射装置による打球力を弱く調整した所謂左打ちの場合は、主に遊技領域２４の第１遊技領域２４ａを流下し、該打球発射装置(図示せず)による打球力を強く調整した所謂右打ちの場合は、主に遊技領域２４の第２遊技領域２４ｂを流下するようになっている。そして、遊技領域２４に打ち出されたパチンコ球が始動入賞装置２５の第１始動入賞口２６または第２始動入賞口２７に入賞して第１始動入賞検出センサ４４または第２始動入賞検出センサ４５が検出すると、当該パチンコ機１０を総合的に制御するメイン制御基板１２０のメイン制御ＣＰＵ１２０ａに対して該始動入賞検出センサ４４,４５から検出信号が送信される。これに基づいてメイン制御基板１２０のメイン制御ＣＰＵ１２０ａは、大当り抽選を行なうと共に、当該大当り抽選の結果に基づいてサブ制御基板に制御信号を出力して、後述する第２表示装置７４において図柄変動演出を行わせるようになっている。そして、第２表示装置７４での図柄変動演出の結果、表示部に所定の図柄組み合わせ(例えば同一図柄の３つ揃い等)で図柄が確定的に停止表示されると所謂大当りが発生する。ここで、第１始動入賞口２６への入賞に基づいて大当りが発生した場合には、第１特別入賞装置２８の特別入賞口２８ａが開放し、遊技者が多数の賞球を獲得可能な機会が与えられる。また、第２始動入賞口２７への入賞に基づいて大当りが発生した場合には、第２特別入賞装置２９の特別入賞口２９ａが開放し、遊技者が多数の賞球を獲得可能な機会が与えられる。なお、前述した第１始動入賞口２６、第２始動入賞口２７、特別入賞口２８ａまたは普通入賞装置３０の何れにも入賞することなく遊技領域２４の下部まで流下したパチンコ球は、アウト口３３を介して遊技盤２０の裏側へ回収される。
【００２３】
(制御構成について)
実施例のパチンコ機１０には、図８に示す如く、パチンコ機１０を全体的に制御するメイン制御基板(メイン制御手段、遊技制御手段)１２０と、該メイン制御基板１２０からの制御信号に基づいて各制御対象を制御するサブ制御基板(サブ制御手段、演出制御手段)１２１,１２２とが設けられている。すなわち、メイン制御基板１２０では、パチンコ機１０に備えられた各種検出センサ(検出手段)からの検出信号に基づいて各種処理が実行され、その処理結果に応じた各種の制御信号(制御コマンド)がサブ制御基板１２１,１２２,１２３,１２４に出力されるようになっている。そして、実施例のパチンコ機１０には、サブ制御基板として、遊技演出を全体的に制御する演出制御基板１２１と、後述する第１表示装置１０３および第２表示装置１０４の演出内容を制御する表示制御基板１２２と、各種ランプ装置や後述する発光演出装置８０等の発光演出手段の発光制御を行う発光制御手段としてのランプ制御基板１２３と、パチンコ機１０が備えるスピーカ４８(図１参照)の音出力制御を行う音制御手段としての音制御基板１２４とを備えている。すなわち、メイン制御基板１２０が出力した制御信号(制御コマンド)に基づいて、前記演出制御基板１２１が、表示制御基板１２２、ランプ制御基板２７３および音制御基板１２４を制御するよう構成されており、パチンコ機１０で実行される各種遊技演出(図柄変動演出や発光演出、音声演出)を統括的にコントロールし得るようになっている。ここで、表示制御基板１２２は、演出制御基板１２１から出力された制御信号(制御コマンド)に基づいて、第１表示装置１０３および第２表示装置１０４に表示される飾図(図柄)や背景画像等の図柄変動演出の表示内容を制御するよう構成される。また、ランプ制御基板１２３は、演出制御基板１２１から出力された制御信号(制御コマンド)に基づいて、パチンコ機１０が備える各種発光演出手段の点灯・消灯のタイミングや、発光強度、発光態様等を制御するものである。そして、音制御基板１２４は、演出制御基板１２１から出力された制御信号(制御コマンド)に基づき、パチンコ機１０が備える各種スピーカ４８からの音声出力のタイミングや出力内容等を制御するものである。
【００２４】
前記メイン制御基板１２０は、図８に示す如く、制御処理を実行するメイン制御ＣＰＵ１２０ａ、該メイン制御ＣＰＵ１２０ａが実行する制御プログラムを記憶するメイン制御ＲＯＭ１２０ｂ、当該メイン制御ＣＰＵ１２０ａの処理に必要なデータの書込み・読出しが可能なメイン制御ＲＡＭ１２０ｃ等が備えられている。そして、前記始動入賞検出センサ４４,４５、特別入賞検出センサ４６,４７等の各種センサが前記メイン制御ＣＰＵ１２０ａに接続されている。前記演出制御基板１２１には、演出制御ＣＰＵ１２１ａが備えられている。該演出制御ＣＰＵ１２１ａには、演出制御ＲＯＭ１２１ｂおよび演出制御ＲＡＭ１２１ｃが接続されている。演出制御ＲＯＭ１２１ｂには、図柄変動演出において実行する図柄変動演出の具体的な演出内容を特定する演出パターンが記憶されている。また、演出制御ＲＯＭ１２１ｂには、表示制御基板１２２、ランプ制御基板１２３および音制御基板１２４を統括的に制御するための演出制御プログラムが記憶されている。前記表示制御基板１２２には、表示制御ＣＰＵ１２２ａが備えられていると共に、該表示制御ＣＰＵ１２２ａには、表示制御ＲＯＭ１２２ｂおよび表示制御ＲＡＭ１２２ｃが接続されている。また、表示制御基板１２２(表示制御ＣＰＵ１２２ａ)には、第１表示装置１０３および第２表示装置１０４が接続されている。表示制御ＲＯＭ１２２ｂには、第１表示装置１０３および第２表示装置１０４の表示内容を制御するための表示制御プログラムが記憶されている。また、表示制御ＲＯＭ１２２ｂには、各種の画像データ(図柄、各種背景画像、文字、キャラクタなどの画像データ)が記憶されている。更に、表示制御ＲＡＭ１２２ｃには、パチンコ機１０の動作中に適宜書き換えられる各種の情報が記憶(設定)されるようになっている。
【００２５】
(枠状装飾体３５について)
図２および図４に示すように、前記枠状装飾体３５は、複数の枠状装飾部材を組付けて構成されている。すなわち枠状装飾体３５は、環状に形成された枠部材３６と、枠部材３６に組付けられた複数(実施例では３つ)の装飾部材３７(３７ａ〜３７ｃ)と、枠部材３６の内側下部に配設されたステージ部材３８とを備えている。また、枠状装飾体３５には、発光表示手段を備えた発光表示装置４０や、発光基板(図示せず)等が組付けられている。枠状装飾体３５は、第１遊技領域２４ａおよび第２遊技領域２４ｂを流下するパチンコ球が、枠状装飾体３５の内側へ移動することを規制する。
【００２６】
前記ステージ部材３８は、図２および図３に示すように、第１遊技領域２４ａに開口した球流入口３８ａと、該球流入口３８ａに連通すると共に左右方向に延在し、該球流入口３８ａから流入したパチンコ球が転動可能な転動面３８ｂとを備えている。そして、ステージ部材３８における転動面３８ｂの前側は遊技領域２４に開口しており、該転動面３８ｂ上を左右に移動したパチンコ球は、適宜位置から前側へ落下可能に構成されている。なお、ステージ部材３８における転動面３８ｂの上方には、左右方向に延在する隔壁３８ｃが設けられており、転動面３８ｂ上を転動するパチンコ球が枠状装飾体３５の開口部３５ａから後方へ移動することを規制するよう構成されている。
【００２７】
(設置部材５０について)
遊技盤２０の後側に取付けられる設置部材５０は、図３および図４に示すように、前方に開放する略矩形のケース状に形成された部材であって、前側の開放端を遊技盤２０の後面に突き合わせた状態で該遊技盤２０に取付けられる。設置部材５０は、遊技盤２０の後面に対して所要の間隔で略平行に対向する設置壁部５１と、この設置壁部５１の周縁から前方へ延出形成された外周壁部５２と、この外周壁部５２の前端から外方に向けて屈曲した形状に形成された取付板部５３とを備えている。すなわち設置部材５０は、外周壁部５２で囲われて遊技盤２０側に開放する前部開口が略矩形状に形成されると共に、取付板部５３の外周縁が、遊技盤２０の外周縁より一回り小さい形状および大きさで形成されている。そして設置部材５０は、取付板部５３を遊技盤２０の後面にネジ止めすることで該遊技盤２０に取付けられ、遊技盤２０の後面と該後面から離間した設置壁部５１の前側との間に空間を画成する。
【００２８】
図３および図４に示すように、設置壁部５１は、上下中央よりも下方の位置に段差が設けられて、該段差より上側の上壁部５１ａが、該段差より下側の下壁部５１ｂよりも後方に位置している。設置壁部５１の上壁部５１ａの前側には、可動演出装置７０および発光演出装置８０等を取付けるための設置部が設けられている。また、上壁部５１ａの後側には、第１設置部５９および第２設置部６０が設けられている。第１設置部５９には、前記演出制御基板１２１を収容した基板ケース１２５が取り付けられる。第２設置部６０には、前記表示制御基板１２２を収容した基板ケース１２６が取り付けられる。実施例では、設置壁部５１の後側から見て、上壁部５１ａの右側領域が第１設置部５９とされ、該上壁部５１ａの左側領域が第２設置部６０とされている。
【００２９】
また、図４に示すように、設置壁部５１の下壁部５１ｂの後側には、中継基板５７を設置する中継基板設置部５５が設けられている。実施例の中継基板設置部５５は、複数(実施例では２つ)の中継基板５７を、左右に並べて設置可能に構成されている。すなわち、中継基板設置部５５は、設置壁部５１の後側から見て、左から第１の中継基板設置部５５ａおよび第２の中継基板設置部５５ｂで構成されている。第１の中継基板設置部５５ａには第１の中継基板５７が設置され、第２の中継基板設置部５５ｂには第２の中継基板５７が設置されるようになっている。ここで、第１の中継基板５７は、主としてメイン制御基板１２０と、該メイン制御基板１２０との間で信号の送受信を行う電気部品とを電気的に接続するための基板である。また、第２の中継基板５７は、主として演出制御基板１２１または表示制御基板１２２と、該演出制御基板１２１または表示制御基板１２２との間で信号の送受信を行う電気部品とを電気的に接続するための基板である。
【００３０】
図３および図４に示すように、下壁部５１ｂの後側には、第１の中継基板設置部５５ａに設置された第１の中継基板５７および第２の中継基板設置部５５ｂに設置された第２の中継基板５７を挟んだ後方に、前述したメイン制御基板１２０を収容した基板ケースを取り付けるための基板保持部材５８が取付けられている。基板保持部材５８は、トレー状に形成されて、第１の中継基板５７および第２の中継基板５７をカバーするようになっている。
【００３１】
(可動演出装置７０について)
設置部材５０の設置壁部５１の前側に配設される可動演出装置７０は、図３に示すように、設置部材５０に取付けられるベース体７１と、このベース体７１に回転自在に配設される可動体７２とを備えている。そして、可動演出装置７０は、可動体７２に配設されて該可動体７２の回転に伴って姿勢変位する第１表示装置７３と、ベース体７１に固定されて姿勢変位しない第２表示装置７４とを備えている。第１表示装置７３および第２表示装置７４は、前述した表示制御基板１２２に電気的に接続されて、該表示制御基板１２２により制御される。また、可動体７２には、第１表示装置７３の表示部７３ａに表示された演出内容を反射可能で、かつ第２表示装置７４の表示部１０４ａに表示された演出内容を透過可能なハーフミラー７５が設けられている。一方、ベース体７１には、可動体７２を回転させる駆動モータを備えた駆動機構(図示せず)が配設されており、演出制御基板１２１の演出制御ＣＰＵ１２１ａにより該駆動モータを駆動制御することで、可動体７２が遊技盤２０の前面に沿う方向に回転して、ハーフミラー７５が第２表示装置７４の前側を通過する環状に移動するよう構成されている。
【００３２】
また、設置部材５０の設置壁部５１の前側には、回転する可動体７２の後側に位置する発光演出装置８０が配設されている。この発光演出装置８０は、可動体７２が回転することで環状に移動するハーフミラー７５の移動領域と前後に重なるよう環状に形成され、本体８１と、該本体８１の前側においてハーフミラー７５の移動方向に並んだ複数の発光表示部８２と、複数のＬＥＤチップ８３ａが実装された発光基板８３を備えている(図３参照)。この発光基板８３は、ランプ制御基板１２３と電気的に接続されて、該ランプ制御基板１２３により発光制御される。
【００３３】
実施例の可動演出装置７０は、駆動機構による可動体７２の回転に伴って、ハーフミラー７５を第２表示装置７４の前側に位置させて、該ハーフミラー７５と第２表示装置７４とが前後方向で重なった第１演出状態(図２参照)と、該ハーフミラー７５を該第２表示装置７４の前側から外れて位置させて、該ハーフミラー７５と第２表示装置７４とが前後で重ならない第２演出状態とに変更することが可能である。これにより、第１演出状態とした場合には、第１表示装置７３の表示部７３ａでの演出および第２表示装置７４の表示部７４ａでの演出を重ねて表示可能となり、第２演出状態とした場合には、第１表示装置７３の表示部７３ａでの演出および第２表示装置７４の表示部７４ａでの演出を、異なる位置で表示可能となるよう構成されている。
【００３４】
(配線支持構造について)
次に、設置部材５０に設けられた配線支持構造について、図４〜図７を引用して説明する。この配線支持構造は、遊技盤２０や前枠１３に配設された電気部品から設置部材５０の後側へ引き出されて、前記第１および第２の中継基板５７,５７の何れかに接続される配線ＷＨを、設置部材５０の後面に支持するものである。すなわち、設置部材５０の設置壁部５１の前側に配設された可動演出装置７０や発光演出装置８０、枠状装飾体３５に配設された発光表示装置４０や発光基板、および遊技盤２０や前枠１３に配設された電気部品から、設置部材５０の設置壁部５１の後側に引き出された配線ＷＨを纏めて支持するものである。なお、以降の配線支持構造に関連する説明においては、設置部材５０の後側から見た状態で、前、後、左、右を指称する。
【００３５】
前期配線支持構造は、図４および図５に示すように、設置壁部５１の外面(後面)に設けられた配線支持片(配線支持部)１００を備えている。実施例では、設置部材５０の設置壁部５１の後面における第１設置部５９の右側部分に、配線支持片(配線支持部)１００が設けられている。実施例では、設置壁部５１における第１設置部５９の右側部分に、１つの配線支持片１００を設けた場合を例示しているが、該配線支持片１００の配設数は２つ以上であってもよい。また、配線支持片１００を設ける位置は、第１設置部５９の右側部分に限るものではなく、設置壁部５１における第１設置部５９または第２設置部６０に隣接する位置の適宜位置に設けてもよい。
【００３６】
(配線支持片１００について)
前記配線支持片１００は、図４および図５に示すように、設置壁部５１の後面９９から立設された壁部により構成されている。配線支持片１００は、設置壁部５１の後面９９から立ち上がった立壁部１０１と、この立壁部１０１の延出端１０１ａから該立壁部１０１の立ち上がり方向と交差する方向へ曲がると共に、第１設置部５９側へ延出する延出壁部１０２とを備えている。すなわち、延出壁部１０２は、第１設置部５９に設置された演出制御基板１２１を収容した構成部材としての基板ケース１２５に近接するように、立壁部１０１から延出している。従って、配線支持片１００は、立壁部１０１の基部が設置壁部５１に連なると共に、延出壁部１０２の延出端１０１ａが該設置壁部５１から離間しており、上方から見た形状が略Ｊ字形をなす片持ち片である。このような配線支持片１００は、立壁部１０１および延出壁部１０２と、設置壁部５１の後面９９とで囲まれた領域に、配線ＷＨを支持する配線支持空間Ｓが画成されている。この配線支持空間Ｓは、上方および下方が夫々開口しており、上下方向に延在する配線ＷＨを支持可能である。また、延出壁部１０２と設置壁部５１とは離間しており、該延出壁部１０２の延出端１０２ａと該設置壁部５１との間に、配線支持空間Ｓへの配線ＷＨの挿入を許容する配線挿通口(配線挿入部)Ｓ１が形成されている。
【００３７】
(立壁部１０１について)
前記立壁部１０１は、図５〜図７に示すように、演出制御基板１２１を収容した遊技機構成部材としての基板ケース１２５における右側の外縁１２５ａと左右方向で間隔をおいた位置において、設置壁部５１の後面９９から後方へ延出した板状片である。すなわち立壁部１０１は、その幅方向が上下方向となると共に厚み方向が左右方向となっている。そして、立壁部１０１は、設置壁部５１からの延出長と上下幅とが略同じ矩形の板状片である。
【００３８】
(延出壁部１０２について)
前記延出壁部１０２は、図５〜図７に示すように、立壁部１０１の延出端１０１ａから第１設置部５９側(演出制御基板１２１側)へ延出する水平部１０３と、該水平部１０３の延出端から設置壁部５１の後面９９に向けて傾斜状に延出する傾斜部１０４とを備えている。水平部１０３は、当該配線支持片１００が設けられた部位周辺における設置壁部５１の後面９９の面方向と略平行に延在している。すなわち、水平部１０３は、立壁部１０１の延出方向に対して直交する方向へ延出している。傾斜部１０４は、水平部１０３との連設部から延出端１０１ａに近づくにつれて、立壁部１０１から離間する方向へ傾斜している。そして、延出壁部１０２の延出端１０１ａと設置壁部５１の後面９９との間に、配線支持空間Ｓに連通する配線挿通口Ｓ１が画成されており、配線ＷＨは、該配線挿通口Ｓ１を介して配線支持空間Ｓ内へ移動可能に構成されている。
【００３９】
また、図５および図７(ｂ)に示すように、延出壁部１０２の傾斜部１０４は、演出制御基板１２１を収容した基板ケース１２５の外縁１２５ａに近接する位置を延在するように設けられている。実施例では、配線支持片１００の傾斜部１０４と、演出制御基板１２１を収容した基板ケース１２５とが、配線ＷＨの通過を阻止可能な位置関係となるように、該基板ケース１２５に対して該傾斜部１０４が設けられている。換言すると、演出制御基板１２１を収容した基板ケース１２５が設置部材５０の第１設置部５９に取り付けられた状態で、配線支持片１００の延出壁部１０２および該基板ケース１２５が、該延出壁部１０２と該演出制御装置１２１との間を配線ＷＨが通過することを阻止可能に近接した位置関係に構成されている。
【００４０】
ここで、前記配線ＷＨは、複数の電線や信号線を纏めて束ねたものであり、幅が部分毎に異なっている。従って、配線ＷＨの通過を阻止可能な位置関係とは、傾斜部１０４と基板ケース１２４との間が、該配線ＷＨの最小幅よりも狭くなっている位置関係である。実施例では、図７(ｂ)に示すように、演出制御基板１２１を収容した基板ケース１２５の外縁１２５ａと配線支持片１００の傾斜部１０４との間が、配線ＷＨの最小幅よりも狭い間隔となっているため、該配線ＷＨの通過を阻止可能である。
【００４１】
(返り部１０５について)
図６および図７に示すように、前記延出壁部１０２の延出端１０１ａ側の部分(延出端部１０２ｂ)に、返り部１０５が形成されている。この返り部１０５は、延出壁部１０２の延出端１０１ａに近づくにつれて、演出制御基板１２１を収容した基板ケース１２５における設置壁部５１と対向する裏面(対向面)１２５ｂに近接するよう曲がっている。すなわち、返り部１０５は、延出端１０１ａに近づくにつれて設置壁部５１から離間する後方へ湾曲した部分であって、該延出端１０１ａは、基板ケース１２５の裏面１２５ｂに対向している。ここで、図７(ｂ)に示すように、延出壁部１０２の延出端１０１ａは、基板ケース１２５の裏面１２５ｂに対して、配線ＷＨの最小幅よりも狭い間隔で位置している。従って、延出壁部１０２の延出端１０２ａと基板ケース１２５の裏面１２５ｂとの間も、配線ＷＨの通過を阻止可能になっている。
【００４２】
そして、図７に示すように、実施例の配線支持片１００は、少なくとも延出壁部１０２の延出端部１０２ｂが、演出制御基板１２１を収容した基板ケース１２５と設置壁部５１の後面９９との間に画成された空間Ｇ内に延出した形状に形成されている。すなわち、延出壁部１０２の延出端部１０２ｂに設けられた返り部１０５が、第１設置部５９に設置された基板ケース１２５と設置壁部５１との間の空間Ｇに位置している。これにより、延出壁部１０２の延出端部１０２ｂと基板ケース１２５とは、前後方向においてオーバーラップした状態となっている。従って、配線支持片１００の延出端１０１ａと設置壁部５１の後面９９との間に画成された配線挿通口Ｓ１は、空間Ｇに位置すると共に該空間Ｇに開口している。
【００４３】
実施例では、図７に示すように、設置部材５０の第１設置部５９に取り付けられた演出制御基板１２１の基板ケース１２５により、配線支持片１００の延出壁部１０２と該基板ケース１２５との間から、配線挿入部Ｓ１に亘る空間Ｇが覆われるよう構成されている。従って、空間Ｇに位置する配線ＷＨは、演出制御基板１２１の基板ケース１２４により、該空間Ｇからの離脱が規制され得るように構成されている。
【００４４】
(リブ１０８について)
図５〜図７に示すように、配線支持片１００には、設置壁部５１に対する立壁部１０１の弾性変形を規制するリブ１０８が設けられている。このリブ１０８は、設置壁部５１の後面９９と配設支持片１００の立壁部１０１との間の隅角部に三角形状に設けられて、該設置壁部５１および立壁部１０１の夫々に連設されている。従って、立壁部１０１は、設置壁部５１に対して、延出端１０１ａが左右方向へ変位する弾性変形が規制される。
【００４５】
(延出壁部１０２の弾性変形について)
実施例の配線支持片１００の延出壁部１０２は、立壁部１０１に対して弾性変形が可能となっている。すなわち、延出壁部１０２は、立壁部１０１に対して、該延出端部１０２の延出端１０２ａが設置壁部５１に対し近接・離間する方向(前後方向)へ変位する弾性変形が可能となっている。従って、延出壁部１０２が弾性変形することにより、該延出壁部１０２の延出端１０２ａと設置壁部５１の後面９９との間に画成された配線挿通口Ｓ１の幅が変化するようになっている。
【００４６】
(凹部９８について)
前記設置部材５０の設置壁部５１には、図４および図５に示すように、第１設置部５９における配設支持片１００に対向する縁部に、該配線支持片１００から離間する側へ凹状となった凹部９８が設けられている。この凹部９８と、配線支持片１００の延出壁部１０２との間には、配線ＷＨが通過可能な隙間１０７が画成されている。これにより、演出制御基板１２１が収容された基板ケース１２５を第１設置部５９から取り外した状態において、配線ＷＨを隙間１０７を介して空間Ｇに挿入することで、該配線ＷＨを配線挿通口Ｓ１に臨ませることが可能となっている(図６参照)。
【００４７】
前記凹部９８は、図５〜図７に示すように、第１設置部５９の縁部から斜め下方へ傾斜して延在する第１壁部９８ａと、該第１壁部９８ａにおける第１設置部５９の縁部から離間した側の端部から下方へ延在する第２壁部９８ｂと、該第２壁部９８ｂの下端から第１設置部５９の縁部に向けて斜め下方に傾斜して延在する第３壁部９８ｃとから構成されている。すなわち凹部９８は、第２壁部９８ｂから第１設置部５９の縁部に近づくにつれて、上下幅が徐々に大きくなるよう拡開した形状となっている。そして、第１設置部５９の縁部と凹部９８の第１壁部９８ａとは、鈍角となるように連なっていると共に、第１設置部５９の縁部と凹部９８の第３壁部９８ａとは、鈍角となるように連なっている。従って、図６(ａ)に示すように、第１設置部５９の縁部に沿って引き回した配線ＷＨを、急角度に曲げることなく凹部９８の隙間１０７へ押し込むことが可能となっている。
【００４８】
また、図６(ａ)に示すように、前記凹部９８の第２壁部９８ｂは、上下方向の略中間より上側部分が垂直かつ直線になっていると共に、該中間より下側部分が、配線支持片１００側へ凸となる湾曲状になっている。これに伴って、配線支持片１００における延出壁部１０２の延出端部１０２ｂは、第２壁部９８ｂの下側部分に対向する部位が、該下側部分の凸湾曲形状に合わせて凹湾曲形状に形成されている。すなわち、凹部９８の第２壁部９８ｂと、配線支持片１００における延出壁部１０２の延出端１０２ａとの隙間１０７は、上下方向において左右幅が一定になっている。これにより、配線ＷＨを隙間１０７へ押し込む際に、第２壁部９８ｂの下側部分に接触した配線ＷＨが配線挿入口Ｓ１側へ押されるようになり、配線ＷＨを、該配線挿入口Ｓ１を介して配線支持空間Ｓへ挿入し易く構成されている。
【００４９】
(実施例の作用)
前述のように構成された実施例のパチンコ機１０は、別工程で組立てられた可動演出装置７０や発光演出装置８０、およひその他の装置や部品等を、設置部材５０の設置壁部５１の前側に取付ける。そして、可動演出装置７０、発光演出装置８０およびその他の装置や部品に接続された配線ＷＨを、設置壁部５１の後側へ引き出す。次いで、可動演出装置７０および発光演出装置８０等を取付けた設置部材５０を、遊技盤２０の後側に取付け、該遊技盤２０に配設された部品の配線ＷＨを、設置壁部５１の後側へ引き出す。
【００５０】
次いで、設置部材５０の後側へ引き出された前記配線ＷＨは、図６に示すように、纏めた状態で第１設置部５９の外縁に沿わせて配線支持片１００に向けて引き回され、配線支持片１００と凹部９８との間に画成された隙間１０７を介して、空間Ｇ内へ挿入される。そして、空間Ｇ内に挿入された配線ＷＨは、配線挿通口Ｓ１に位置しているので、該配線挿通口Ｓ１を介して配線支持空間Ｓ内へ挿入される。なお、配線ＷＨが配線挿通口Ｓ１を通過する際に、配線支持片１００の延出壁部１０２が配線ＷＨに押されて弾性変形することで該配線挿通口Ｓ１が拡開するようになるので、当該配線ＷＨが配線支持空間Ｓ内へ適切に挿入される。そして、配線支持片１００の配線支持空間Ｓに挿通されて支持された配線ＷＨは、前述した第１および第２の中継基板５７,５７等に接続される。
【００５１】
配線支持片１００の配線支持空間Ｓに配線ＷＨを支持させた後に、設置部材５０の第１設置部５９に対して、演出制御基板１２１が収容された基板ケース１２５を取り付ける。これにより、図７に示すように、配線支持片１００の延出壁部１０２における傾斜部１０４と、第１設置部５９に設置された基板ケース１２５の外縁１２５ａとが、配線ＷＨの通過を阻止可能な位置関係となる。また、配線支持片１００における延出壁部１０２の延出端部１０２ｂが、基板ケース１２５と設置壁部５１との間の空間Ｇ内に延出した状態となる。そして、第１設置部５９に基板ケース１２５を取り付けたことで、該基板ケース１２５と配線支持片１００の延出壁部１０２との間から前記配線挿通口Ｓ１に亘る空間Ｇが、当該基板ケース１２５により覆われるようになる。
【００５２】
従って、配線支持片１００を備えた実施例の配線支持構造では、配線支持片１００における延出壁部１０２の延出端部１０２ｂが、演出制御基板１２１が収容された基板ケース１２５と設置部材５０の設置壁部５１の後面９９との間に画成された空間Ｇ内に延出している。従って、万一、配線支持空間Ｓ内に支持させた配線ＷＨが該配線支持空間Ｓから空間Ｇへ外れたとしても、該外れた配線ＷＨを、基板ケース１２５によって該空間Ｇ内に保持させることができる。また、配線支持片１００の延出壁部１０２における傾斜部１０４と、第１設置部５９に設置された基板ケース１２５の外縁１２５ａとが、配線ＷＨの通過を阻止可能な位置関係となっている。従って、配線支持片１００から空間Ｇへ外れた配線ＷＨが、基板ケース１２５の外縁１２５ａと配線支持片１００の傾斜部１０４との間を通過することが阻止され、該配線ＷＨが配線支持片１００の後方へ離脱して支持されなくなることを防止し得る。
【００５３】
また、配線支持片１００における延出壁部１０２の延出端部１０２ｂに返り部１０５が形成されて、該延出壁部１０２の延出端１０２ａが、基板ケース１２５の裏面１２５ｂに対向している。従って、万一、配線支持空間Ｓ内から空間Ｇへ配線ＷＨが外れたとしても、基板ケース１２５の外縁１２５ａと延出壁部１０２の傾斜部１０４との間へ該配線ＷＨが移動することを、返り部１０５により規制し得る。また、配線支持空間Ｓ内から空間Ｇへ外れた配線ＷＨを、返り部１０５によって該配線支持空間Ｓ内へ移動するように案内することも可能である。
【００５４】
従って、実施例の配線支持構造によれば、配線ＷＨを安定的に支持することができ、パチンコ機１０の振動による該配線ＷＨのずれ動きを防止し得る。これにより、配線ＷＨにテンションがかかることが阻止され、該配線の被覆材の摩損を防止し得ると共に、該配線ＷＨにおける導線の断線も防止し得る。
【００５５】
(変更例)
本発明に係る遊技機は、実施例に例示の形態に限らず種々の変更が可能である。
（１）配線支持部の延出壁部と構成部材とは、配線の通過を阻止可能な位置に設ける場合に、実施例で例示したように、構成部材に対して、配線の最小幅より狭い間隔とした非接触状態で延出壁部を設けるほかに、構成部材に対して、接触した当接状態で延出壁部を設けてもよい。すなわち、配線支持部の延出壁部を、構成部材に対して当接した状態で設けた場合でも、配線の通過を阻止可能である。
（２）実施例では、配線支持部における延出壁部の延出端部が、構成部材と設置部材との間に画成された空間内に延出した形態を例示したが、配線支持部の延出壁部と構成部材の外縁との間を配線が通過することを通過を阻止可能な位置関係となっていれば、延出壁部の延出端部が、該構成部材と設置部材との間の空間内に延出していない形態であってもよい。
（３）配線支持部の延出壁部は、実施例で例示したような平坦状の水平部および傾斜部が屈曲した形状に限定されず、設置部材の外面から離間する方向へ凸となる曲線状に湾曲した形状であってもよい。また、配線支持部の延出壁部は、立壁部の延出端から設置部材の外面に向けて真直ぐに下方傾斜した形状であってもよい。
（４）配線支持部は、第２設置部に設置される表示制御基板を収容した基板ケースに隣接する部位に設けて、該配線支持部の延出壁部を、該基板ケースの外縁との間を配線が通過するのを阻止可能な位置に設けるようにしてもよい。また、配線支持部は、メイン制御基板を収容した基板ケースに隣接する部位に設けて、該配線支持部の延出壁部を、該基板ケースの外縁との間を配線が通過するのを阻止可能な位置に設けるようにしてもよい。
（５）構成部材は、基板を収容した基板ケースに限るものではなく、設置部材に設けられた配線支持部に隣接した位置において、該設置部材を配設される各種の構成部材であってもよい。
（６）設置部材は、遊技盤の後側に配設されるものに限らず、遊技機を構成する各種の部材であってもよい。
別の構成部材に隣接する部位に設けて、該配線支持部の延出壁部を、当該別の構成部材の外縁との間を配線が通過するのを阻止可能な位置に設けるようにしてもよい。
（７）配線支持部は、配線が引き回される部位に沿って、所要間隔毎に複数設けてもよい。
（８) 実施例では、遊技機としてパチンコ機を例示して説明したが、これに限られるものではなく、スロットマシン、アレンジボール機およびピンボール機等の公知の各種遊技機であってもよい。
ここで、スロットマシンは、前方に開口する矩形箱状に形成された本体としての筐体と、該筐体の前側に開閉可能に取り付けられた前側部材としての前面扉とを備えており、複数列のリールユニットを備えた図柄表示装置が、前面扉に設けられた窓口に臨むように配設されている。前面扉には、図柄表示装置の各リールユニットをスタートさせるスタートレバーおよび該図柄表示装置の各リールユニットを停止するストップボタン等が配設された操作パネル、イラストや動画等の各種演出情報を表示可能な液晶式の演出表示装置、可動体が動作する可動演出装置、装飾装置およびスピーカ等の各種電気部品が配設されている。そして、これら電気部品に接続された配線は、前面扉の後側に配設されると共に、筐体に配設された制御装置や電源基板等に接続される。従って、前面扉や筐体等には、電気部品に接続された配線を支持する配線支持部を備えている。
【符号の説明】
【００５６】
５０ 設置部材
１０１ 立壁部
１００ 配線支持部
１０２ 延出壁部
１０２ａ 延出端
１０５ 返り部
１２１ｂ 裏面(対向面)
１２５ 基板ケース(構成部材)
１２５ａ 外縁
１２５ｂ 裏面(対向面)
Ｇ 空間
Ｓ 配線支持空間
Ｓ１ 配線挿入口(配線挿入部)
ＷＨ 配線
【図１】
2017000637.tif 000003
【図２】
2017000637.tif 000004
【図３】
2017000637.tif 000005
【図４】
2017000637.tif 000006
【図５】
2017000637.tif 000007
【図６】
2017000637.tif 000008
【図７】
2017000637.tif 000009
【図８】
2017000637.tif 000010